(57)【特許請求の範囲】
【請求項１】
破損した排水トラップの再生方法であって、
排水が流入する排水口２及び排水を排出する排出口３を備えたトラップ本体１と、
トラップ本体１と組み合わせて封水部４を形成し、排水口２よりも下流側からの逆流を防止する封水部材と、
からなる排水トラップにおいて、
封水部材を取り外し、
排出口３、または排出口３に連通する流路上にトラップユニットを取り付け、
上記トラップユニットを、
軟質素材の筒状の部材であって、上流側端部は円筒形状を成し、下流側端部は対向する面同士が当接することによって閉塞される、自封トラップ９にて構成したことを特徴とする、破損した排水トラップの再生方法。
【請求項２】
上記破損した排水トラップの再生方法において、
再生する排水トラップを、
有底筒状にして、上方に排水口２を開口すると共に、底面より垂立する、内部に排出口３と連通する排水流路を形成した防臭管部５を備えたトラップ本体１と、
有底筒状を成す部材であって、開口を下方に向け、内部に上記防臭管部５を収納するようにしてトラップ本体１内に配置されて封水部４を形成する、封水部材としての防臭オワン６と、
から構成し、
防臭オワン６を取り出し、防臭管部５の排水流路上に、水密的にトラップユニットを取り付けることを特徴とする、上記請求項１に記載の破損した排水トラップの再生方法。
【請求項３】
上記破損した排水トラップの再生方法において、
再生する排水トラップを、
有底筒状にして、上方に排水口２を開口すると共に、内部に排水を溜めるオワン部７を備えてなり、側面に排出口３を設けたトラップ本体１と、
筒状にして上端は排水口２に水密的に接続され、下端は排出口３の下端よりも下方に配置されてトラップ本体１内に配置されて封水部４を形成する、封水部材としての防臭筒８と、
から構成し、
防臭筒８を取り外し、排水口２に水密的にトラップユニットを取り付けることを特徴とする、上記請求項１に記載の破損した排水トラップの再生方法。
【請求項４】
上記破損した排水トラップの再生方法において、
トラップ本体１の外壁以外の、封水部４を形成する構成の一部または全部を削除した上で、トラップユニットを取り付けることを特徴とする、請求項１乃至請求項３のいずれか１つに記載の破損した排水トラップの再生方法。
【請求項５】
上記破損した排水トラップの再生方法において、
トラップユニットの外側面を、トラップ本体１の流路の内側面に当接させて固定することで、トラップユニットをトラップ本体１に水密的に接続させる事を特徴とする、請求項１乃至請求項４のいずれか１つに記載の破損した排水トラップの再生方法。
【請求項６】
上記破損した排水トラップの再生方法において、
トラップユニットに、ヒレ部１０を設け、このヒレ部１０をトラップ本体１の内側面と水密的に当接させることで、トラップユニットをトラップ本体１に水密的に接続させる事を特徴とする、請求項１乃至請求項５のいずれか１つに記載の破損した排水トラップの再生方法。
【請求項７】
上記破損した排水トラップの再生方法において、
トラップユニットが、トラップ本体１の破損個所に当接することで、破損個所の開口を閉塞するように接続させる事を特徴とする、請求項１乃至請求項６のいずれか１つに記載の破損した排水トラップの再生方法。
【請求項８】
上記破損した排水トラップの再生方法において、
少なくともトラップ本体１が金属製であることを特徴とする、
上記請求項１乃至請求項７のいずれか１つに記載の破損した排水トラップの再生方法。
【発明の詳細な説明】
【技術分野】
【０００１】
本発明は使用により排水を生じる機器（以下「排水機器」と呼ぶ）の排水を処理する排水配管に関するものであって、更に詳しくは、排水配管の途中に、臭気や害虫類の、下水側からの逆流を防止する排水トラップ備えた排水配管に関するものである。
【背景技術】
【０００２】
従来より、洗面台、流し台、浴槽や浴室など、他にも厨房や屋外の施設など水に濡れる機会がある床面などには、 生じた排水を下水側の配管に排出するために、排水配管が備えられている。これらのうち、特に下水側から臭気や害虫類が屋内側に逆流することを防止するために、排水トラップと呼ばれる部材を備えた配管を、排水トラップ配管と呼ぶ。
排水トラップとしては、流路の途中に壁を設け、排水が流路において満水状態にて溜まるようにし、臭気などの逆流を防止する排水トラップ等が知られている。
以下に排水トラップを備えた排水配管の従来例を、図２を参照しつつ説明する。
【０００３】
図２に図示した、排水トラップを備えた排水配管は、トラップ本体、防臭オワン、排水管、その他の部材より構成されてなる。尚、以下の部材の内、トラップ本体また防臭オワンは鋳鉄によって構成されてなる。
トラップ本体は以下に記載した本体上部及び本体下部から構成される。
本体上部は、略円筒状の部材であって、上端は床面上に配置されると共に、下端は本体下部の開口に水密的に接続されてなる。また、上端部分の開口に、目皿部材を載置する載置部を備えた排水口を有してなる。
本体下部は、有底円筒状を成す部材であって、上方に排水口を開口すると共に、底面下方中央に円形の排出口を備えてなる。また、この底面に、排出口に連通する筒状の防臭管部を垂立するようにして設けてなる。
防臭オワンは、有底筒状を成す部材であって、開口を下方に向け、内部に上記防臭管部を収納するようにしてトラップ本体内に配置される。
目皿部材は円盤状の平板に、通水用のスリット部を複数開口した部材である。
排水管は円筒形状の管体であって、上流側の端部はトラップ本体の排出口に、下流側の端部は下水側の配管に、それぞれ接続される。
【０００４】
上記のように構成した排水配管の各部材は、以下のようにして、床面上に取り付けられる。
まず、本体上部と下部を接続してトラップ本体とする。次に、下水側の配管に排水管を接続した上で、トラップ本体の排出口に排水管を接続する。更にトラップ本体の側面方向にコンクリート等を打込み、床面を形成する。
更に、排水トラップ内に防臭オワンを配置し、排水口の載置部に目皿部材を載置して、排水トラップの施工が完了する。
【０００５】
上記のように構成した排水トラップは、以下のようにして使用される。
排水トラップが設置された床面上に排水が生じた場合、排水は、目皿部材のスリット部を介して排水口からトラップ内部に流れ込み、防臭オワン側面を流下した後、防臭オワン内部を通過して、防臭管部上端の位置まで水位が上昇する。更に防臭管部上端を排水が超えて防臭管部内部に流れ込み、排出口、排水管を通過し、下水側に排出される。
また、上記のようにして、トラップ本体内部を排水が通過すると、排水時また排水終了後に、防臭オワンの側面とトラップ本体内部の一部、排水が溜まっている部分の流路が常に満水状態となる。下水側から臭気や害虫類が配管内を逆流しても、この満水部分を通過することができないため、臭気や害虫類が下水側から屋内側に逆流することが防止される。
このように、臭気や害虫類などが下水側から屋内側に逆流することを防止する機能を「トラップ機能」、またこのトラップ内に溜まって臭気や害虫類の逆流を防止する排水溜まりを「封水」と呼ぶ。また、このような、封水によって下流側からの臭気や害虫類の逆流を防止する排水トラップを、「封水式排水トラップ」と呼ぶ。
【０００６】
【特許文献１】特開２００５−２９０９４４号公報
【発明の開示】
【発明が解決しようとする課題】
【０００７】
しかしながら、上記従来例のような排水トラップにおいては、以下のような問題を有していた。
トラップ本体やオワン部材を鋳物など金属で製造する場合、常に封水部に水が存在しているため、封水に触れている部分が錆びる等して腐食する場合があった。特に排水には洗剤などの薬剤が含まれている場合が多く、上水に触れている金属と比べてもこれら薬剤の含まれている排水に触れている金属の方が錆等による腐食が生じやすくなる傾向にあった。
また合成樹脂でトラップ本体などを製造した場合、上記のような腐食を防ぐことはできるが、合成樹脂製トラップは金属製トラップに比べて強度の点で劣るため、屋内の浴室やキッチンの排水トラップに利用するのであればともかく、屋外や厨房など比較的強い衝撃が加えられる可能性のある場所に採用すると、使用時に排水トラップそれ自体が破損する可能性があった。
本発明は上記問題点に鑑みて成されたものであって、封水式の排水トラップについて、封水式排水トラップが破損した場合に、排水トラップのトラップ機能を復活させる、破損した排水トラップの再生方法に関するものである。
【課題を解決するための手段】
【０００８】
請求項１に記載の本発明は、破損した排水トラップの再生方法であって、
排水が流入する排水口２及び排水を排出する排出口３を備えたトラップ本体１と、トラップ本体１と組み合わせて封水部４を形成し、排水口２よりも下流側からの逆流を防止する封水部材と、からなる排水トラップにおいて、
封水部材を取り外し、排出口３、または排出口３に連通する流路上にトラップユニットを取り付け、
上記トラップユニットを、
軟質素材の筒状の部材であって、上流側端部は円筒形状を成し、下流側端部は対向する面同士が当接することによって閉塞される、自封トラップ９にて構成したことを特徴とする、破損した排水トラップの再生方法である。
【０００９】
請求項２に記載の本発明は、上記破損した排水トラップの再生方法において、
再生する排水トラップを、有底筒状にして、上方に排水口２を開口すると共に、底面より垂立する、内部に排出口３と連通する排水流路を形成した防臭管部５を備えたトラップ本体１と、有底筒状を成す部材であって、開口を下方に向け、内部に上記防臭管部５を収納するようにしてトラップ本体１内に配置されて封水部４を形成する、封水部材としての防臭オワン６と、から構成し、
防臭オワン６を取り出し、防臭管部５の排水流路上に、水密的にトラップユニットを取り付けることを特徴とする、上記段落０００８に記載の破損した排水トラップの再生方法である。
【００１０】
請求項３に記載の本発明は、上記破損した排水トラップの再生方法において、
再生する排水トラップを、有底筒状にして、上方に排水口２を開口すると共に、内部に排水を溜めるオワン部７を備えてなり、側面に排出口３を設けたトラップ本体１と、筒状にして上端は排水口２に水密的に接続され、下端は排出口３の下端よりも下方に配置されてトラップ本体１内に配置されて封水部４を形成する、封水部材としての防臭筒８と、から構成し、
防臭筒８を取り外し、排水口２に水密的にトラップユニットを取り付けることを特徴とする、上記段落０００８に記載の破損した排水トラップの再生方法である。
【００１１】
請求項４に記載の本発明は、上記破損した排水トラップの再生方法において、
トラップ本体１の外壁以外の、封水部４を形成する構成の一部または全部を削除した上で、トラップユニットを取り付けることを特徴とする、段落０００８乃至段落００１０のいずれか１つに記載の破損した排水トラップの再生方法である。
【００１２】
請求項５に記載の本発明は、上記破損した排水トラップの再生方法において、
トラップユニットの外側面を、トラップ本体１の流路の内側面に当接させて固定することで、トラップユニットをトラップ本体１に水密的に接続させる事を特徴とする、段落０００８乃至段落００１１のいずれか１つに記載の破損した排水トラップの再生方法である。
【００１３】
請求項６に記載の本発明は、上記破損した排水トラップの再生方法において、
トラップユニットに、ヒレ部１０を設け、このヒレ部１０をトラップ本体１の内側面と水密的に当接させることで、トラップユニットをトラップ本体１に水密的に接続させる事を特徴とする、段落０００８乃至段落００１２のいずれか１つに記載の破損した排水トラップの再生方法である。
【００１４】
請求項７に記載の本発明は、上記破損した排水トラップの再生方法において、
トラップユニットが、トラップ本体１の破損個所に当接することで、破損個所の開口を閉塞するように接続させる事を特徴とする、段落０００８乃至段落００１３のいずれか１つに記載の破損した排水トラップの再生方法である。
【００１５】
請求項８に記載の本発明は、上記破損した排水トラップの再生方法において、
少なくともトラップ本体１が金属製であることを特徴とする、段落０００８乃至段落００１４のいずれか１つに記載の破損した排水トラップの再生方法である。
【発明の効果】
【００１６】
請求項１に記載の本発明は、封水式排水トラップが破損した場合に、排水トラップの封水部材を取り外し、排出口または排出口に連通する配管にトラップユニットを接続することで、破損した排水トラップに、再度トラップ機能を付加することができる。
尚、ここで言う「トラップユニット」とは、それ自体で臭気や害虫類の逆流を防止する一組の部材であって、例えば防臭オワンのみや、後述する防臭筒のみなど、封水部を構成する部材の一つであっても、それ自体だけでは臭気止めの機能を有さない場合はトラップユニットには該当しない。
上記トラップユニットを自封トラップにて構成したことより、構成上単純な構造のため、充分な排水性能を確保しつつ、その大きさを配管と同じ程度の大きさにでき、本発明のように、配管等にトラップユニットを組み込む排水トラップにおいて好適である。
請求項２、請求項３に記載の本発明では、再生される排水トラップの構成と、その再生方法を具体的に明示できる。
請求項４に記載の本発明は、封水部の一部を削除することで、トラップ本体内部に排水が溜まることを防止、または封水部に溜まる溜まり水の量を減少させることができる。
請求項５、請求項６に記載の本発明ではトラップユニットとトラップ本体との接続部分において、水密的な接続方法を具体的に明示できる。
請求項７に記載の本発明では、トラップユニットを利用して、トラップ本体に生じた破損部分の修復を行うことができる。
請求項８に記載の本発明では、トラップ本体の素材を明確化できる。
【図面の簡単な説明】
【００１７】
【図１】第一実施例の排水トラップの再生状態を示す断面図である。
【図２】第一実施例の排水トラップを示す断面図である。
【図３】第一実施例の排水トラップの破損した状態を示す断面図である。
【図４】図３の排水トラップから防臭オワンを取り外した状態を示す断面図である。
【図５】自封トラップを示す断面図である。
【図６】図１の排水トラップの排水状態を示す断面図である。
【図７】第二実施例の排水トラップの再生状態を示す断面図である。
【図８】第二実施例の排水トラップを示す断面図である。
【図９】第二実施例の排水トラップの破損した状態を示す断面図である。
【図１０】他の実施例の排水トラップの再生状態を示す断面図である。
【図１１】他の実施例の排水トラップの再生状態を示す断面図である。
【発明を実施するための形態】
【００１８】
以下に、本発明の第一実施例を、図面を参照しつつ説明する。
図１乃至図６に示した、本発明の第一実施例の排水配管は、請求項１、請求項２、及び請求項５乃至請求項８に対応する実施例であって、以下に記載した、トラップ本体１、封水部材としての防臭オワン６、排水管１１、トラップユニットとしての自封トラップ９、その他の部材より構成されてなる。尚、以下の部材の内、トラップ本体１また防臭オワン６は鋳鉄によって構成されてなる。
トラップ本体１は以下に記載した本体上部１ａ及び本体下部１ｂから構成される。
本体上部１ａは、略円筒状の部材であって、上端は床面Ｆ上に配置されると共に、下端は本体下部１ｂの開口に水密的に接続されてなる。また、上端部分の開口に、目皿部材１２を載置する載置部２ａを備えた排水口２を有してなる。
本体下部１ｂは、有底円筒状を成す部材であって、上方に開口を有すると共に、底面下方中央に円形の排出口３を備えてなる。また、この底面に、排出口３に連通する筒状の防臭管部５を垂立するようにして設けてなる。
防臭オワン６は、有底筒状を成す部材であって、開口を下方に向け、内部に上記防臭管部５を収納するようにしてトラップ本体１内に配置される。
目皿部材１２は円盤状の平板に、通水用のスリット部１２ａを複数開口した部材である。
排水管１１は円筒形状の管体であって、上流側の端部はトラップ本体１の排出口３に、下流側の端部は下水側の配管に、それぞれ接続される。
自封トラップ９は、図５に示したような、軟質素材の筒体部分を備えた部材であって、筒体部分の上流側端部は円筒形状を成し、下流側端部は対向する面同士が当接することによって閉塞されてなる。また、自封トラップ９の上端部分から側面方向に向かう突出部１０ａと、この突出部１０ａの端部から下方に向かう円筒形状の円筒部１０ｂと、円筒部１０ｂ内側面に円周に沿って連続して複数設けた突起部１０ｃと、からなるヒレ部１０を備えてなる。
自封トラップ９は、上記のように構成したため、上流側から排水が流れ込むと、軟質な素材によって成型されていることと、内部に加わった水圧によって、下流側端部は可撓して内部から押し広げられ、開口して内部の排水を排出する。それ以外の、内部に排水など液体の無い状態では、下端の開口は閉塞しているため、下流側からの臭気や害虫類の上流側への逆流を防止することができる。
【００１９】
上記のように構成した排水配管の内、トラップユニットとしての自封トラップ９以外の各部材は、以下のようにして、床面Ｆ上に取り付けられる。
まず、本体上部１ａと本体下部１ｂを接続してトラップ本体１とする。次に、下水側の配管に排水管１１を接続した上で、トラップ本体１の排出口３に排水管１１を接続する。更にトラップ本体１の側面方向にコンクリートＣ等を打込み、床面Ｆを形成する。
更に、排水トラップ内に防臭オワン６を配置し、排水口２の載置部２ａに目皿部材１２を載置して、図２に示したように、排水トラップの施工が完了する。
【００２０】
上記のように構成した排水トラップは、以下のようにして使用される。
排水トラップが設置された床面Ｆ上に排水が生じた場合、排水は、目皿部材１２のスリット部１２ａを介して排水口２からトラップ本体１内部に流れ込み、防臭オワン６側面を流下した後、防臭オワン６内部を通過して、防臭管部５上端の位置まで水位が上昇する。更に防臭管部５上端を排水が超えて防臭管部５内部に流れ込み、排出口３、排水管１１を通過し、下水側に排出される。
また、上記のようにして、トラップ本体１内部を排水が通過すると、排水時また排水終了後に、防臭オワン６の側面とトラップ本体１内部の封水部４に封水が形成され、下水側から屋内側に、臭気や害虫類が逆流することが防止される。
【００２１】
段落００１８乃至００２０に記載した排水トラップを、長期間に渡って使用すると、長期間排水に晒されること、また排水にとけ込んだ洗剤などの薬剤の成分などにより、鋳鉄により製造されたトラップ本体１、特に常時封水に晒される防臭管部５の先端や根元部分等が錆などで腐食し、図３に示したように、穴が開くなどして破損してトラップ機能を喪失する場合がある。
このような場合に、トラップユニットである自封トラップ９を利用し、排水トラップのトラップ機能を再生させる。
具体的には、図４に示したように、排水トラップから防臭オワン６を取り外し、露出した防臭管部５の内部に、自封トラップ９を挿通する。この時、自封トラップ９の筒体部分の外側面が防臭管部５の内側面に水密的に当接するように、また自封トラップ９のヒレ部１０の円筒部１０ｂの内側面が、防臭管部５の外側面に水密的に当接するように、それぞれ接続固定して、図１に示したように、トラップユニットを利用した、破損した排水トラップの再生が完了する。
尚、防臭管部５はトラップ本体１の内部の部材であり、且つ排水の流路でもあるため、上記したように、「自封トラップ９の外側面が、防臭管部５の内側面に水密的に当接する」ことは、「自封トラップ９の外側面が、トラップ本体１の流路の内側面に水密的に当接する」ということを意味する。
また、防臭管部５はトラップ本体１の内部の部材であるため、「自封トラップ９のヒレ部１０の円筒部１０ｂの内側面が、防臭管部５の外側面に水密的に当接する」ことは、「自封トラップ９のヒレ部１０が、排水トラップの内側面に水密的に当接する」ということを意味する。特に本実施例では、ヒレ部１０に設けた突起部１０ｃに当接の応力が集中することで、単に面同士が当接する場合に比べ、当接の水密性が向上してなる。
また、この第一実施例では、自封トラップ９の筒体部分の上下方向の長さが、防臭管部５に比べて充分な長さを有して構成されているため、自封トラップ９の筒体部分の一部が防臭管部５下端を超えて排出口３側に突出する。このように構成したため、防臭管部５の根元部分の腐食によって、防臭管部５の根元部分に穴などの破損個所が生じていても、自封トラップ９の筒体部分が防臭管部５の内側面から破損個所の穴を閉塞し、排水の流出を防止することができる。また、ヒレ部１０の円筒部１０ｂの内側面が、防臭管部５の外側面に水密的に当接することで、自封トラップ９と防臭管部５の間の水密性能を向上させると共に、取り付けの安定性を高いものとすることができる。
【００２２】
このようにして再生した排水トラップは、以下のようにして使用される。
排水トラップが設置された床面Ｆ上に排水が生じた場合、排水は、目皿部材１２のスリット部１２ａを介して排水口２からトラップ本体１内部に流れ込み、トラップユニットである自封トラップ９の上端の位置まで水位が上昇する。更に自封トラップ９上端を排水が超えて自封トラップ９内部に流れ込むと、自封トラップ９内部にある程度排水が溜まった時点で、自封トラップ９内部に加わった水圧によって、下流側端部は可撓して内部から押し広げられ、図６に示したような状態となり、開口して内部の排水を排出し、更に、排出口３、排水管１１を通過し、下水側に排出される。
それ以外の、自封トラップ９内部に排水など液体の無い状態では、図１に示したように、下端の開口は閉塞しているため、下流側からの臭気や害虫類の上流側への逆流を防止することができる。
【００２３】
次に、本発明の第二実施例を、図面を参照しつつ説明する。
図７乃至図９に示した、本発明の第二実施例の排水配管は、請求項１、請求項３乃至請求項６、請求項８に対応する実施例であって、以下に記載した、トラップ本体１、封水部材としての防臭筒８、目皿部材１２、トラップユニットとしての自封トラップ９、から構成されてなる。尚、以下の部材の内、トラップ本体１また防臭筒８は鋳鉄、即ち金属によって構成されてなる。
トラップ本体１は有底筒状を成す部材であって、上方に載置部２ａを備えた排水口２を開口すると共に、側面に排出口３を備えてなる。また、底面下方中央に、平面視円形にして上方に開口したオワン部７を備えてなる。
防臭筒８は、略円筒状にして、上端部分に鍔部８ａが形成されてなり、この鍔部８ａの端部がトラップ本体１の排水口２に着脱自在且つ水密的に接続されるように構成されてなる。また、円筒形状の下端部分はオワン部７の内部に配置されてなる。
目皿部材１２は円盤状の平板に、通水用のスリット部１２ａを複数開口した部材である。
排水管１１は円筒形状の管体であって、上流側の端部はトラップ本体１の排出口３に、下流側の端部は下水側の配管に、それぞれ接続される。
自封トラップ９は、軟質素材の筒体部分を備えた部材であって、筒体部分の上流側端部は円筒形状を成し、下流側端部は対向する面同士が当接することによって閉塞されてなる。また、自封トラップ９の上流側端部部分から側面方向に向かうヒレ部１０を備えてなる。
自封トラップ９は、上記のように構成したため、上流側から排水が流れ込むと、軟質な素材によって成型されていることと、内部に加わった水圧等によって、下流側端部は可撓して内部から押し広げられ、開口して内部の排水を排出する。それ以外の、内部に排水など液体の無い状態では、下端の開口は閉塞しているため、下流側からの臭気や害虫類の上流側への逆流を防止することができる。
【００２４】
上記のように構成した排水配管の内、トラップユニットとしての自封トラップ９以外の各部材は、以下のようにして、床面Ｆ上に取り付けられる。
まず下水側の配管に排水管１１を接続し、更にトラップ本体１の排出口３に排水管１１を接続する。更にトラップ本体１の側面方向にコンクリートＣ等を打込み、床面Ｆを形成する。
次に、防臭筒８の上端周縁を排水口２に水密的に接続する。この時、防臭筒８の円筒形状の下端部分はオワン部７の内部に配置される。
更に、排水口２の載置部２ａに目皿部材１２を載置して、図８のように、排水トラップの施工が完了する。
【００２５】
上記のように構成した排水トラップは、以下のようにして使用される。
排水トラップが設置された床面Ｆ上に排水が生じた場合、排水は、目皿部材１２のスリット部１２ａを介して排水口２からトラップ本体１内部に流れ込み、防臭筒８内部を流下した後、オワン部７内部を通過して、オワン部７上端の位置まで水位が上昇する。更にオワン部７上端を排水が超えてトラップ本体１内部に流れ込み、排出口３、排水管１１を通過し、下水側に排出される。
また、上記のようにして、トラップ本体１内部を排水が通過すると、排水時また排水終了後に、オワン部７内部の封水部４に封水が溜まり、下水側から屋内側に臭気や害虫類が逆流することが防止される。
【００２６】
段落００２３乃至００２５に記載した排水トラップを、長期間に渡って使用すると、長期間排水に晒されること、また排水に溶け込んだ洗剤などの薬剤の成分などにより、鋳鉄により製造されたトラップ本体１、特に常時封水に晒されるオワン部７の先端等が錆などで腐食し、図９に示したように、穴が開くなどして破損してトラップ機能を喪失する場合がある。
このような場合に、トラップユニットである自封トラップ９を利用して、排水トラップのトラップ機能を再生させる。
具体的には、まず排水トラップから防臭筒８を取り外し、更にグラインダーなどの冶具を使って、オワン部７の上端部分、即ちトラップ本体１の外側面と兼用していない部分を削除する。次に、排出口３の内部に、自封トラップ９を挿通する。この時、自封トラップ９の筒体部分の外側面が排出口３の内側面に水密的に当接するように接続固定して、図７に示したように、トラップユニットを利用した、破損した排水トラップの再生が完了する。
尚、排出口３はトラップ本体１の内部の部材部材であり、且つ排水の流路でもあるため、上記したように、「自封トラップ９の外側面が、排出口３の内側面に水密的に当接する」ことは、「自封トラップ９の外側面が、排水トラップの内側面に水密的に当接する」ということを意味する。
【００２７】
このようにして再生した排水トラップは、以下のようにして使用される。
排水トラップが設置された床面Ｆ上に排水が生じた場合、排水は、目皿部材１２のスリット部１２ａを介して排水口２からトラップ本体１内部に流れ込み、トラップ本体１内部を、自封トラップ９の開口部分に掛かる位置まで水位が上昇する。更に自封トラップ９の排水口２側の水位が上昇すると、一定以上の水量を超えた時点で、自封トラップ９内部に加わった水圧によって、下流側端部は可撓して内部から押し広げられ、開口して内部の排水を排出し、更に、排出口３、排水管１１を通過し、下水側に排出される。
それ以外の、自封トラップ９内部に排水など液体の無い状態では、下流側端部の開口は閉塞しているため、下流側からの臭気や害虫類の上流側への逆流を防止することができる。
また上記構成では、トラップ本体１のオワン部７を削除しているため、トラップ本体１内部に溜まる排水の量が減少し、その分雑菌などの繁殖が押さえられて排水トラップを衛生的に使用することができる。
【００２８】
本発明の実施例は以上のようであるが、本発明は上記実施例に限定されるものではなく、主旨を変更しない範囲において自由に変更が可能である。
例えば、上記第一、第二実施例では、トラップ本体１を鋳鉄にて構成してなるが、本発明は上記実施例に限定されるものではなく、トラップ本体１や関連部材を樹脂材料にて構成するようにしても構わない。
また、上記実施例では、第二実施例に示した、防臭筒８を備えた排水トラップの場合のみトラップ本体１の削除を行っているが、本発明はこれに限定されるものではなく、図１０に示したように、防臭オワン６を備えた排水トラップに対して削除を行うようにしても構わない。
また、上記実施例では、防臭管部５や排出口３にトラップユニットを取り付けてなるが、本発明は上記実施例に限定されるものではなく、図１１に示したように、排水口２など、排出口３に連通する流路上であれば、どのような箇所にトラップユニットを取り付けても構わない。
【符号の説明】
【００２９】
１      トラップ本体          １ａ    本体上部
１ｂ    本体下部              ２      排水口
２ａ    載置部                ３      排出口
４      封水部                ５      防臭管部
６      防臭オワン            ７      オワン部
８      防臭筒                ８ａ    鍔部
９      自封トラップ          １０    ヒレ部
１０ａ  突出部                １０ｂ  円筒部
１０ｃ  突起部                １１    排水管
１２    目皿部材              １２ａ  スリット部
Ｂ      トラップの破損個所    Ｃ      コンクリート
Ｆ      床面
【図１】
0005909625.tif 000002
【図２】
0005909625.tif 000003
【図３】
0005909625.tif 000004
【図４】
0005909625.tif 000005
【図５】
0005909625.tif 000006
【図６】
0005909625.tif 000007
【図７】
0005909625.tif 000008
【図８】
0005909625.tif 000009
【図９】
0005909625.tif 000010
【図１０】
0005909625.tif 000011
【図１１】
0005909625.tif 000012